(57)【要約】【課題】  洗濯機用防水パンの清掃性を向上させ、または汚れの程度を減少させることができる、洗濯機用防水パンを提供する。【解決手段】  洗濯機用防水パンを、排水部６を有する底壁５、該底壁５の周囲から上方に向かって立設する壁部４、底壁５上に設けた、壁部４の上端よりも上方に洗濯機Ｒを載置する載置面３を有する、複数の足置き台２、からなる洗濯機用防水パンにおいて、上記壁部４の少なくとも一辺に、外側側面上端から外側下方に向かうよりも緩やかな勾配で、内側側面上端から内側下方に向かって内側に傾斜する傾斜面を設けて構成する。また、上記壁部４に設けられた傾斜面が、排水部６まで連続して構成する。【選択図】図７
2014234628.tif 000002
【特許請求の範囲】
【請求項１】
排水部６を有する底壁５、
該底壁５の周囲から上方に向かって立設する壁部４、
底壁５上に設けた、壁部４の上端よりも上方に洗濯機Ｒを載置する載置面３を有する、複数の足置き台２、からなる洗濯機用防水パンにおいて、
上記壁部４の少なくとも一辺に、外側側面上端から外側下方に向かうよりも緩やかな勾配で、内側側面上端から内側下方に向かって内側に傾斜する傾斜面を設けたことを特徴とする洗濯機用防水パン。
【請求項２】
上記壁部４に設けられた傾斜面が、排水部６まで連続していることを特徴とする、請求項１に記載の洗濯機用防水パン。
【請求項３】
排水部６を有する底壁５、
該底壁５の周囲から上方に向かって立設する壁部４、
底壁５上に設けた、壁部４の上端よりも上方に洗濯機Ｒを載置する載置面３を有する、複数の足置き台２、からなる洗濯機用防水パンにおいて、
足置き台２の内側側面が、平面視において洗濯機用防水パン１の中心に向かって広がるように構成されてなることを特徴とする洗濯機用防水パン。
【請求項４】
排水部６を有する底壁５、
該底壁５の周囲から上方に向かって立設する壁部４、
底壁５上に設けた、壁部４の上端よりも上方に洗濯機Ｒを載置する載置面３を有する、複数の足置き台２、からなる洗濯機用防水パンにおいて、
足置き台２の間の少なくとも一か所に、足置き台２の上面、または足置き台２の間の底壁５上面に載置して、足置き台２の間の部分を遮蔽する目隠し部９ｃを備えたことを特徴とする、洗濯機用防水パン。
【請求項５】
排水部６を有する底壁５、
該底壁５の周囲から上方に向かって立設する壁部４、
底壁５上に設けた、壁部４の上端よりも上方に洗濯機Ｒを載置する載置面３を有する、複数の足置き台２、からなる洗濯機用防水パンにおいて、
足置き台２の側面に、上方から下方に隙間の方向に向かう傾斜を備えると共に、足置き台２の間の少なくとも一か所に、両端を足置き台２の側面に載置して、足置き台２の間の部分を遮蔽する目隠し部９ｃを備えたことを特徴とする、洗濯機用防水パン。
【請求項６】
排水部６を有する底壁５、
該底壁５の周囲から上方に向かって立設する壁部４、
底壁５上に設けた、壁部４の上端よりも上方に洗濯機Ｒを載置する載置面３を有する、複数の足置き台２、からなる洗濯機用防水パンにおいて、
洗濯機用防水パン１の下面下方を開口させ、
洗濯機用防水パン１の外側側面を略垂直形状としたことを特徴とする洗濯機用防水パン。
【請求項７】
洗濯機用防水パン１の、壁部４と足置き台２の内側側面に、上方から下方程広がる傾斜を備えたことを特徴とする、請求項６に記載の洗濯機用防水パン。
【発明の詳細な説明】
【技術分野】
【０００１】
本発明は、洗濯機用防水パンに関し、更に詳しくは、洗濯機用防水パンの清掃性を向上させることを目的とするものである。
【背景技術】
【０００２】
洗濯機を載置し、また洗濯機の使用によって生じる様々な排水を処理するため、排水部を備えた洗濯機用防水パンが、従来より良く知られている。
一例として、特許文献１に記載の洗濯機用防水パンについて説明する。
この特許文献１に記載された従来の洗濯機用防水パンは、以下に記載した洗濯機用防水パン、カバー部材、及び排水部としての排水トラップより構成されてなり、以下に記載する洗濯機に利用される。
洗濯機用防水パンは、平面視略正方形形状を成す樹脂成型による部材であって、開口部を有する底壁と、該底壁の四隅に設けた、平面視略正方形を成す足置き台と、足置き台の間を渡すようにして、底壁の周縁から上方に向かって立設する壁部と、から構成されてなる。
排水トラップは、以下に記載した、トラップ本体、フランジ部材、封水椀、防臭筒、洗濯機用接続管、目皿部材、より構成されてなる。
トラップ本体は、有底略円筒状にして、上方に開口を備え、側面に下水側の排水管を接続する排出口を備えてなる。また、上端部分内周面には雌ネジを備えると共に、上端部分から外周方向に周縁に沿って突出した凸部を備えてなる。
フランジ部材は、略円筒形状にして、外側側面に雌ネジと螺合する雄ネジを備えると共に、上端部分に、外周方向に周縁に沿って突出したフランジ部を備えてなる。上記のように構成したフランジ部材は、施工完了時内部に排水口を形成する。
封水椀は、有底筒状にして、上方上面、及び側面上方に開口を備えてなる。またこの封水椀は、上方部分が、施工時フランジ部材内部につり下げられるように構成される。
防臭筒は、略円筒状の部材であって、上方部分は、上に行くほど拡径するすり鉢形状を成す。また、施工完了時、上端部分は排水口に水密的に接続されると共に、下端部分は封水椀内部であって、封水椀の側面の開口の下端よりも下方に配置される。
洗濯機用接続管は、上端は洗濯機からの排水を排出する洗濯機用排水ホースに接続され、下端は防臭筒内部に配置されて、洗濯機からの排水を、防臭筒内部に排出する。
目皿部材は、排水口に配置される部材であって、中央部分に洗濯機用接続管を通す開口を設けると共に、周囲部分には複数の孔を設けて、洗濯機用防水パン上に排水が生じた場合に、排水中の毛髪や大きなゴミを分離・捕集するように構成されてなる。
尚、これらの部材の内、トラップ本体及びフランジ部材は洗濯機用防水パンに接続固定されるが、その他の封水椀、防臭筒、洗濯機用接続管、目皿部材はトラップ本体に対して着脱自在となるよう構成されてなる。
また、洗濯機用防水パン上に配置される洗濯機は、略箱体を成す排水機器（使用により排水を生じる機器）であって、側面に洗濯物などの投入口を有すると共に、底壁に４つの脚部を有し、また洗濯機の使用により生じた、洗剤や汚れ成分を含んだ排水を排出するための洗濯機用排水ホースを備えてなる。
【０００３】
上記のように構成された洗濯機用防水パンと排水トラップ、洗濯機は、以下のように施工される。尚、特に記載しないが、以下の施工の際、水密的な接続が要求される部分は、必要に応じてパッキングを利用したネジ接続や接着などにより、水密的に接続される。
まず床面にトラップ本体を床下空間に配置するための開口を設ける。次に、この開口を通してトラップ本体の排出口を下水側配管に接続する。更にフランジ部の雄ネジ部分を、洗濯機用防水パンの開口部に挿通した上で、トラップ本体の雌ネジに螺合させる。これにより、フランジ部材のフランジ部下面と、トラップ本体の凸部上面とで、洗濯機用防水パンの開口部の周縁を挟持するようにして、トラップ本体とフランジ部材が、洗濯機用防水パンに固定される。
更に床面上に洗濯機用防水パンを、ビスなどを使用して固定する。
また、封水椀を、フランジ部材内部につり下げるようにして配置すると共に、洗濯機用接続管を内部に収納した防臭筒を、下端が封水椀内部に収納されるようにした上で、上端をフランジ部材内面に対して水密的に接続する。
更に排水口に目皿部材をセットし、洗濯機用接続管に洗濯機用排水ホースを接続した上で、足置き台上に洗濯機の脚部を載置し、洗濯機用防水パンと排水トラップ、及び洗濯機の施工が完了する。この施工が完了した状態で、洗濯機からの排水が洗濯機用排水ホースを介して洗濯機用接続管から、また洗濯機用防水パン内部の排水が排水口から、それぞれ排水トラップ内に流入するように構成される。すなわち、開口部に取り付けられた排水トラップが、排水部として機能する。
【０００４】
上記のように構成された洗濯機用防水パンと排水トラップは、以下のようにして使用される。
洗濯機を使用し、洗濯機より排水が生じると、洗濯機からの排水は、洗濯機用排水ホースから、洗濯機用接続管を介し、封水椀内部に流入して溜まる。排水は、封水椀内部に充分に溜まると封水椀の側面に設けられた開口から溢れ出す。封水椀から流出した排水は、トラップ本体内部から排出口を介して下水側に排出される。
また、洗濯機自体や洗濯機用排水ホースの破損等により、洗濯機用防水パンの底壁上に排水が生じると、排水は、排水口の目皿部材を通過し、防臭筒内部、封水椀内部、封水椀の上方の開口、トラップ本体内部、排出口、の順番に通過し、最終的に下水側に排出される。
また、上記のように構成した排水トラップにおいて、排水トラップに排水が行われると、封水椀内部に、側面の開口の下端の高さまで排水が溜まる。これにより、排水口又は洗濯機用接続管から封水椀の側面の開口部下端までの流路に、排水で満たされた部分が形成される。この溜まった排水を封水と呼び、下水側から臭気や害虫類が屋内側に侵入しようとしても、この封水によってそれ以上屋内側に侵入されることを防止ることができる。このように、下水側から臭気や害虫類が屋内側に侵入することを防止する機能をトラップ機能と呼ぶ。
【０００５】
ところで、洗濯機からの排水は、当然に洗濯を行った後の排水であり、油分等の汚れ、毛髪、毛糸屑、砂等様々な汚れ成分と、これを衣類等の洗濯物から分離し除くために使用された洗剤成分が混入している。このため、このような排水が通過する排水トラップの部材にこれらの汚れが付着し、排水トラップの各部材が汚れたり、雑菌が繁殖して異臭を生じたり、汚れ物質が堆積するなどして内部の排水流路が詰まったりする、という問題を生じる。
このような問題を解決するため、排水トラップの部材の内、封水椀、防臭筒、洗濯機用接続管、目皿部材等は、トラップ本体から着脱して清掃することが可能に構成されている。しかしながら、実際には、洗濯機用防水パンの上方に洗濯機が配置され、排水トラップの上方が洗濯機に覆われることで、洗濯機用防水パンと洗濯機との間が狭くなり、トラップの部材の取り外し作業を行うために手を差し込む事が困難であったり、トラップの部材を洗濯機の壁部の外側に取り出すことができない、といった問題があった。
【０００６】
また、上述のように、通常の使用においては、洗濯機からの排水は、洗濯機用排水ホースを介して直接排水トラップ内部に流れるため、洗濯機用防水パン内部に排水が生じることはほとんど無いものの、洗濯機等を長期間使用する間に、屋内の埃や毛髪、洗濯物から滴下した水分、蠅・蚊等の昆虫類、また洗濯機用排水ホースと洗濯機用接続管との継ぎ目部分等からの若干の漏水等、洗濯機用防水パンの内部を汚す要因が、足置き台の間部分の隙間等から防水パン内部に侵入する場合がある。洗濯機用防水パンの内部が汚れる頻度はあまり多くなく、また汚れる程度も微細なものの、洗濯機用防水パンは洗濯機が上方に載置されることで、容易には清掃ができなくなるため、長期間清掃されないことによって、清掃を行う際には、埃・小型昆虫の死骸・滴下した排水のしずくの乾燥跡等、相当量の汚れが付着している場合が多く、これらの清掃は、洗濯機が上面に載っていることで、清掃箇所が狭隘且つ視認しにくいため困難である。
【０００７】
そこで、特許文献１に記載の洗濯機用防水パンと排水トラップにおいては、足置き台の間部分の壁部を、足置き台よりも充分低くし、足置き台の間から洗濯機用防水パンの内部に手を差し入れて、排水トラップの部材の分離作業や、防臭筒等、比較的に大型の排水トラップの部材を横に倒すことで、洗濯機の壁部の外側に取り出すことが可能に構成されている。
また、このような隙間を確保することによって、洗濯機用防水パンの内部に手を入れることができるため、洗濯機用防水パンの内部の清掃作業もある程度行うことができる。
【０００８】
また、特許文献２に記載の洗濯機用防水パンでは、上記特許文献１に記載の洗濯機用防水パンとほぼ同様の構成を備えると共に、更に、洗濯機用防水パンの四隅に設けた足置き台の間を覆い隠すため、足置き台の間に嵌められて、側面及び上面を隠すカバー部材を設けてなる。この引用文献２に記載の発明のカバー部材では、足置き台の上方の間を覆い隠す目隠し部を設け、この目隠し部の両側面に突起を設けると共に、足置き台の側面及び上面に凹部を設け、突起と凹部を嵌合させて目隠し部を固定してなる。
【特許文献１】特開２００８−８８６３０号
【特許文献２】特開２００７−５６５１１号
【発明の開示】
【発明が解決しようとする課題】
【０００９】
上記のような特許文献１に記載の洗濯機用防水パンの場合、以下に記載するような問題点があった。
洗濯機用防水パンの場合、清掃のし易さは、清掃時に洗濯機用防水パンの死角になる部分があるかどうか、また内部の清掃箇所に手が届きやすいか、という要因によって変化する。
以下、洗濯機用防水パンから見て「洗濯機の使用者が洗濯機を使用する際に主に立つ方向（つまり使用者が作業を行うことができる空間が広がっている方向）」を洗濯機用防水パンの「前方」とし、以下の説明の横及び後方は、この前方に対応する方向として説明する。
また、壁部及び足置き台の、洗濯機用防水パンの上面内側にある側面を以下「足置き台の内側側面」、洗濯機用防水パンの外側にある側面を以下「足置き台の外側側面」と記載する。
ただし、この「内側／外側」で示される方向の表現と、上記した「前方」に基づく前後及び横で示される方向は、直接関連しないため、例えば「後方側の足置き台の内側の横側側面」と言うように、一つの面を示唆するに当たり内外と前後及び横の２つの方向を組み合わせて表現する場合がある。
【００１０】
通常、洗濯機用防水パンは、後側側面と、左右の側面の一方または両方が、屋内の壁面または洗面台や棚等、何らかの固定式の家具によって塞がれるように配置される。このため、通常洗濯機用防水パンへの清掃作業は、前方のみからの作業に限定される（左右のいずれか一方／または両方からも作業が可能な場合もあり得るが、全ての場合において「左右のいずれか一方／または両方からの清掃が可能である」とは言えないため、どの様な場合にも対応できることを考慮して、「清掃作業を洗濯機用防水パンの前方から行う場合」のみを検討する）。
この場合に、死角となる部分としては、次の１．、２．の箇所が上げられる。
１．前方側の壁部の後側側面。また、この部分は、排水トラップの部材を取り出す際に、排水トラップの部材に付着していた排水や汚れを受けやすい。
２．前方側の足置き台の後側側面。
また、手を差し込むことが困難な部分には、次の２．乃至４．が上げられる。
２．前方側の足置き台の後側側面。
３．四つの壁部及び足置き台の、内側側面と底壁上面とが交差する角部分。
４．特許文献２に記載の発明のように、洗濯機用防水パンに足置き台の隙間を隠す目隠し部が用いられる場合、目隠し部を取り付けるため足置き台に設けられる窪み部分。
特許文献１、特許文献２に記載の発明は、これらの個所についての清掃が困難であった。
【００１１】
また、洗濯機用防水パンの内部ではないが、上記以外に清掃が困難な箇所として、洗濯機用防水パンの、家屋の壁面や家具に隣接する側の外側側面が上げられる。この部分に関しては、狭隘且つ奥まった位置等にあり、更に視認もしにくい個所であって、洗濯機用防水パンを移動させない限り事実上清掃は不可能である。
特許文献１に記載の発明は、このような、洗濯機用防水パンの外側側面に対しての汚れに対して特に何らの対応も行われていなかった。
本発明は上記問題点に鑑み発明されたものであって、洗濯機用防水パンの清掃性を向上させ、または汚れの程度を減少させることができる、洗濯機用防水パンを提供するものである。
【課題を解決するための手段】
【００１２】
請求項１に記載の本発明は、排水部６を有する底壁５、該底壁５の周囲から上方に向かって立設する壁部４、底壁５上に設けた、壁部４の上端よりも上方に洗濯機Ｒを載置する載置面３を有する、複数の足置き台２、からなる洗濯機用防水パンにおいて、
上記壁部４の少なくとも一辺に、外側側面上端から外側下方に向かうよりも緩やかな勾配で、内側側面上端から内側下方に向かって内側に傾斜する傾斜面を設けたことを特徴とする洗濯機用防水パンである。
尚、「壁部４の外側側面上端から外側側面下端に向かうよりも緩やかな勾配で、内側側面上端から内側側面下端に向かって内側に傾斜する傾斜面」として、内側側面と外側側面との対比によって内側側面の傾斜を定義したのは、壁部４の内側側面に、いわゆる抜け勾配を超える角度で、意図的に傾斜を設けたことを示唆するためである。
【００１３】
請求項２に記載の本発明は、上記壁部４に設けられた傾斜面が、排水部６まで連続していることを特徴とする、段落００１２に記載の洗濯機用防水パンである。
【００１４】
請求項３に記載の本発明は、排水部６を有する底壁５、該底壁５の周囲から上方に向かって立設する壁部４、底壁５上に設けた、壁部４の上端よりも上方に洗濯機Ｒを載置する載置面３を有する、複数の足置き台２、からなる洗濯機用防水パンにおいて、
足置き台２の内側側面が、平面視において洗濯機用防水パン１の中心に向かって広がるように構成されてなることを特徴とする洗濯機用防水パンである。
【００１５】
請求項４に記載の本発明は、排水部６を有する底壁５、該底壁５の周囲から上方に向かって立設する壁部４、底壁５上に設けた、壁部４の上端よりも上方に洗濯機Ｒを載置する載置面３を有する、複数の足置き台２、からなる洗濯機用防水パンにおいて、
足置き台２の間の少なくとも一か所に、足置き台２の上面、または足置き台２の間の底壁５上面に載置して、足置き台２の間の部分を遮蔽する目隠し部９ｃを備えたことを特徴とする、洗濯機用防水パンである。
【００１６】
請求項５に記載の本発明は、排水部６を有する底壁５、該底壁５の周囲から上方に向かって立設する壁部４、底壁５上に設けた、壁部４の上端よりも上方に洗濯機Ｒを載置する載置面３を有する、複数の足置き台２、からなる洗濯機用防水パンにおいて、
足置き台２の側面に、上方から下方に隙間の方向に向かう傾斜を備えると共に、足置き台２の間の少なくとも一か所に、両端を足置き台２の側面に載置して、足置き台２の間の部分を遮蔽する目隠し部９ｃを備えたことを特徴とする、洗濯機用防水パンである。
【００１７】
請求項６に記載の本発明は、排水部６を有する底壁５、該底壁５の周囲から上方に向かって立設する壁部４、底壁５上に設けた、壁部４の上端よりも上方に洗濯機Ｒを載置する載置面３を有する、複数の足置き台２、からなる洗濯機用防水パンにおいて、
洗濯機用防水パン１の下面下方を開口させ、洗濯機用防水パン１の外側側面を略垂直形状としたことを特徴とする、洗濯機用防水パンである。
【００１８】
請求項７に記載の本発明は、洗濯機用防水パン１の、壁部４と足置き台２の内側側面に、上方から下方程広がる傾斜を備えたことを特徴とする、段落００１７に記載の洗濯機用防水パンである。
【発明の効果】
【００１９】
請求項１に記載の本発明では、壁部の内側側面と底壁上面との交差部分の角度が９０度を超え大きく開くことで（好適には３０度から６０度程度、但し請求項２に記載の場合のように、特定の理由・目的等の為、より緩やかとしても良い）、手を差し込むことが困難な狭隘な角の部分が無くなり、洗濯機用防水パン内部の清掃性を向上することができる。更に、前方側の壁部の後側側面（内側側面）に傾斜を設けた場合、正面からの壁部の死角が無くなるか、または減少するため、作業性が向上する。
特に、請求項２に記載のように、この傾斜を排水部まで連続して設け、この傾斜面を設けた側を前方側に配置すると、排水トラップの部材を取り出す際等、排水部に対して清掃の作業を行う場合に、傾斜面がガイドの役割を果たし、洗濯機用防水パン内部の清掃がより一層容易になる。
請求項３に記載の本発明では、足置き台の内側側面を、平面視洗濯機用防水パンの中心に向かって広がるように構成したため、足置き台の形状が、平面視正方形である従来の洗濯機用防水パンに比べて、足置き台の間の、どの壁部（当然ながら正面側の壁部も含む）の側から手を差し入れたとしても、全ての足置き台の側面に対して清掃の為の手が届きやすくなり、また比較的視認性が良くなるため、洗濯機用防水パン内部の清掃性が向上する。
請求項４、請求項５に記載の発明では、足置き台の間の上側の部分を覆う目隠し部を、足置き台の上面、側面、または洗濯機用防水パンの底壁の上面に載置するため、足置き台に凹凸を設ける必要が無くなり、洗濯機用防水パン内部の清掃性が向上する。
請求項６に記載の発明では、洗濯機用防水パンの外側側面を略垂直面としたことで、家具や家屋の壁面との隙間が狭くなる。前述のように、家屋の壁面や固定された家具との隙間を清掃することは、洗濯機を洗濯機用防水パン上に載置したままではほぼ不可能であるため、本発明のように、隙間を狭くして、洗濯機用防水パンの外側側面と屋内の壁面や家具との密着度を高め、その間に塵芥等が侵入し難いようにする方が汚れにくく、衛生的に好適であるといえる。また、壁面との間にコーキングを施す場合などでも、隙間が狭い方が都合よく、その意味でも好適であると言える。
【図面の簡単な説明】
【００２０】
【図１】第一実施例の、洗濯機を含む、施工状態を示す斜視図である。
【図２】第一実施例の洗濯機用防水パンの、カバー部材を備えた平面図である。
【図３】第一実施例の洗濯機用防水パンの、カバー部材を備えた正面図である。
【図４】第一実施例の洗濯機用防水パンの、カバー部材を備えた斜視図である。
【図５】第一実施例の洗濯機用防水パンの平面図である。
【図６】第一実施例の洗濯機用防水パンの正面図である。
【図７】第一実施例の洗濯機用防水パンの斜視図である。
【図８】第一実施例の洗濯機用防水パンの、側面方向の断面図である。
【図９】第一実施例の洗濯機用防水パンの、正面方向の断面図である。
【図１０】図５のＡ−Ａ断面図である。
【図１１】図５のＢ−Ｂ断面図（右側奥の足置き台のみの断面図）である。
【図１２】第一実施例の排水トラップの断面図である。
【図１３】清掃性について本発明と従来例を比較するための参考図である。
【図１４】下方にリブを備えた洗濯機用防水パンの底面図である。
【図１５】外側側面を略垂直とする工夫を示す、足置き台の断面図である。
【図１６】カバー部材の他の実施例を示す斜視図である。
【図１７】カバー部材の他の実施例を示す斜視図である。
【図１８】足置き台の形状を略三角形とした実施例を示す平面図である。
【実施例】
【００２１】
以下に、本発明の第一実施例について、図面を参照しつつ説明する。
図１、図５、及び図１３の矢印Ｆで示す方向が前方である。
また、壁部４及び足置き台２の、洗濯機用防水パン１の上面であって且つ内側にある側面を以下「壁部の内側側面」「足置き台の内側側面」、洗濯機用防水パン１の外側にある側面を以下「壁部の外側側面」「足置き台の外側側面」と記載する。
ただし、この「内側／外側」で示される方向の表現と、上記した「前方」に基づく前後及び横で示される方向は、直接関連しないため、例えば「後方側の足置き台２の内側の横側側面」と言うように、一つの面を示唆するに当たり内外と前後及び横の２つの方向を組み合わせて表現する場合がある。
また、「設置面」とは「洗濯機用防水パンが設置される床面」である。但し、洗濯機用防水パン１の外側側面の下端の形状から、洗濯機用防水パン１が設置される設置面Ｇがどの様な面になるかは判断することができ、洗濯機用防水パンのみからでも、「側面等が設置面と成す角度」を判断し、また設計することができる。
図１乃至図１２に示した、本発明の第一実施例の洗濯機用防水パンは、以下に記載する洗濯機用防水パン１、及びカバー部材９からなり、以下に記載の排水トラップＴを用いて床下配管に接続され、以下に記載する洗濯機Ｒに利用される。
洗濯機用防水パン１は、平面視一辺が約６４０ミリメートル程度の、略正方形形状を成す、樹脂成型による部材であって、開口部を有する底壁５と、該底壁５の四隅に設けた足置き台２と、足置き台２の間を渡すようにして、底壁５の周縁から上方に向かって立設する壁部４と、から構成されてなる。
底壁５は、洗濯機用防水パン１の底面を形成する壁部４分であって、排水を行う排水トラップＴを取り付けるための開口部を備えてなる。また底壁５の上面には、開口部に向かって若干の傾斜、具体的には設置面Ｇに対し０．５度から８度程度の傾斜を備えてなる。
開口部は、底壁５上に設けられた平面視円形の開口であり、平面視底壁５の中心から前方の壁部４に近づくようにして、足置き台２の間に設けられている。開口部の周囲には後述する排水トラップＴのフランジ部材１３のフランジ部１３ｂを収納して、フランジ部１３ｂ上面が底壁５上面とほぼ同じ高さ位置となるようにするための、下方に窪んだ段押し部を備えてなる。この段押し部の下端は、外側側面の下端より（つまり設置面Ｇより）下方に形成される。
足置き台２は、洗濯機用防水パン１の、平面視正方形を成す四隅にそれぞれ設けられる、上方に向かって立設された台座部分であって、上端は洗濯機Ｒの脚部が載置される載置面３を形成する。
載置面３の平面視における形状について説明すると、個々の載置面３は平面視略四角形形状を成す。詳細には、載置面３の平面視における四角形の四辺の内、洗濯機用防水パン１の外側側面を成す二辺は、洗濯機用防水パン１全体が平面視正方形形状を成すように、正方形形状に沿って形成され、直角に交差してなる。
一方、足置き台２の内側側面を成す二辺は、平面視、外側側面に対して９０度未満になるような角度で構成されてなる。このため、全体としては、図５のように、足置き台２の間の隙間が、洗濯機用防水パン１の外側側面から洗濯機用防水パン１の中心に向かう程、隙間の間隔が広がるように形成されている。
この向かい合う辺の形状は、洗濯機用防水パン１の平面視正方形を成す外周のそれぞれ四辺の、垂直二等分線を中心軸として対称形状に形成されてなる。個々の載置面３の平面視での形状を厳密に説明すれは、洗濯機用防水パン１の外側側面を成す二辺が等しい長さを成す直角二等辺三角形と、この直角二等辺三角形と斜辺を共有する、斜辺の両端の角度が４５度未満の二等辺三角形と、を組み合わせた四角形、となる。つまり、平面視の外側側面に対する内側側面の辺の角度は４５度を超え９０度未満、本実施例では７５度乃至８０度程度である。足置き台２の平面視の形状は全て合同で、４つの足置き台２の平面視の配置は、洗濯機用防水パン１の中心を中心点とする四回転対称を成す。
また、足置き台２の側面の内、洗濯機用防水パン１の外側側面を成す面は、設置面Ｇに対して約８９．５度程度の略垂直となる角度（図６、図８のαで示す角度）を備えてなり、一方、足置き台２の内側側面は、設置面Ｇに対して約７５度乃至８０度の傾斜を成す角度（図１０のβ１、図１１のβ２で示す角度）を形成してなる。
また、載置面３は洗濯機Ｒが滑ることを防ぐために高さ１ミリメートル程度の凹凸によって模様が設けられて滑り止めとして構成される。
また載置面３の外側側面の周縁には、洗濯機Ｒの落下防止と、後述する防水パンカバーを係止するための突条部８が形成されている。
壁部４は、洗濯機用防水パン１の外周縁に沿って、足置き台２の四か所の間部分に設けられる壁部４分であって、その上端高さは隣接する足置き台２の上端よりも低い位置に設けられてなり、このため足置き台２の間に、洗濯機用防水パン１の外部から手などを差し込み、内部で作業を行うことが可能な隙間空間が形成されている。本実施例では、洗濯機用防水パン１の外側側面の下端から足置き台２の上端までの高さは１００ミリメートル前後に対し、洗濯機用防水パン１の外側側面の下端から壁部４上端までの高さは２０ミリメートル程度である。
また、上記壁部４は、壁部４の外側側面上端から外側側面下端に向かうよりも緩やかな角度で、内側側面上端から内側側面下端に向かって内側に傾斜する傾斜面を設けてなる。以下に具体的に説明する。洗濯機用防水パン１の四方にそれぞれ設けられた壁部４について、その断面視は上側が凸となる略Ｕ字形状を成してなり、この内、外側側面はすべて設置面Ｇに対して約８９．５度程度の角度（図６、図８のαで示す角度）を備えてなり、隣接する足置き台２の外側側面と面一を成すように形成されてなる。
これに対し、壁部４の内側側面は、設置面Ｇに対して外側側面の傾斜よりも緩やかな傾斜を備えてなる（当然ながら傾斜の方向は逆である）。
具体的には、開口部にもっとも近い壁部４を除く、他の３辺の壁部４は、図８、図９に示したように、壁部４の内側側面は設置面Ｇに対して約４５度程度の角度（図８、図９のγ１で示した角度）をそれぞれ備えてなる。
これに対し、開口部にもっとも近い壁部４の内側側面では、図８に示したように、開口部に向かって連続した、排水口１３ａからの部材の取り出しを容易にするためのガイドとしてのガイド傾斜面７を設ける。この場合の傾斜の角度は開口部との距離によって変化するが、本実施例の場合、設置面Ｇに対して約１８度程度の緩やかな角度（図８のγ２で示した角度）の傾斜を備えてなる。
カバー部材９は、洗濯機用防止パンの外側側面及び足置き台２の上方の載置面３間を覆う部材であって、洗濯機用防水パン１の外側側面の一面全体を覆う板状のカバー本体部９ａと、そのカバー本体部９ａの上端中央から洗濯機用防水パン１の内側に向かって延出され、足置き台２の載置面３間を覆う目隠し部９ｃと、から構成される。目隠し部９ｃの幅は足置き台２の隙間部分の幅よりも若干広く、また取付時目隠し部９ｃは足置き台２の上端、つまり載置面３より若干高い位置に配置される為、目隠し部９ｃの両端は、載置面３上に載置される。
またカバー本体部９ａの上縁には、足置き台２の突条部８に係止される係止部９ｂを備えてなる。
排水トラップＴは、図１２に示したように、以下に記載した、トラップ本体１０、フランジ部材１３、封水椀１１、防臭筒１４、洗濯機用接続管１２、目皿部材１５、より構成されてなる。
トラップ本体１０は、有底略円筒状にして、上方に開口を備え、側面に下水側の排水管を接続する排出口１０ａを備えてなる。また、上端部分内周面には雌ネジを備えると共に、上端部分から外周方向に周縁に沿って突出した凸部１０ｂを備えてなる。
フランジ部材１３は、略円筒形状にして、外側側面にトラップ本体１０の雌ネジと螺合する雄ネジを備えると共に、上端部分に、外周方向に周縁に沿って突出したフランジ部１３ｂを備えてなる。上記のように構成したフランジ部材１３は、施工完了時内部に排水口１３ａを形成する。
封水椀１１は、有底筒状にして、上方上面、及び側面上方に開口を備えてなる。またこの封水椀１１は、上方部分が、施工時フランジ部材１３内部につり下げられるように構成される。
防臭筒１４は略円筒状の部材であって、上方部分は、上に行くほど拡径するすり鉢形状を成すように構成される。また、施工完了時、上端部分は排水口１３ａに水密的に接続されると共に、下端部分は封水椀１１内部であって、封水椀１１の側面の開口の下端よりも下方に配置される。
洗濯機用接続管１２は、略Ｔ字形状に分岐した管体であって、施工時にはＴ字を上下逆転した状態にて、垂直な管体部分は防臭筒１４の筒体部分の内部に、水平な管体部分は防臭筒１４下端と封水椀１１の下壁上面との間に配置される（水平な管体部分は偏平につぶされたような形状を成す）。また、水平な管体部分の端部は、両端とも防臭筒１４の筒体部分の外側側面よりも若干外側に突出するように構成されてなる。施工時、このように構成された洗濯機用接続管１２の内、中央の垂直な管体の上端は、洗濯機Ｒからの排水を排出する洗濯機用排水ホース（図示せず、端部となるエルボ管１６のみ図示）に接続され、洗濯機Ｒからの排水を、防臭筒１４の外側であって、封水椀１１の内部に排出する。
目皿部材１５は排水口１３ａに配置される部材であって、中央部分に洗濯機用接続管１２を通す開口を設けると共に、周囲部分には複数の孔を設けて、洗濯機用防水パン１上に排水が生じた場合に、排水中の毛髪や大きなゴミを分離・捕集するように構成されてなる。目皿部材１５には周縁から中央の開口まで開口する切り欠きが形成されてなり、目皿部材１５の弾性を利用し、該切り欠きを押し広げる事で、洗濯機用接続管１２と洗濯機用排水ホースとの接続を解除することなく、目皿部材１５を取り出すことができる。
洗濯機用防水パン１上に配置される洗濯機Ｒは、略箱体を成す排水機器（使用により排水を生じる機器）であって、側面に洗濯物などの投入口を有すると共に、下方に４つの脚部を有し、また洗濯機Ｒの使用により生じた、洗剤や汚れ成分を含んだ排水を排出するための洗濯機用排水ホースを備えてなる。
【００２２】
上記のように構成された洗濯機用防水パン１とカバー部材９、排水トラップＴ等の各部材は、以下のように施工される。尚、特に記載しないが、以下の施工の際、水密的な接続が要求される部分には、必要に応じて接着やパッキングを利用したネジ接続などにより、水密的に接続される。また、通常、洗濯機用防水パンの屋内等の配置から、洗濯機Ｒの使用者がどちらの方向から洗濯機Ｒを使用するかは容易に判断できる。これを利用し、洗濯機用防水パンの方向を、開口部に近い壁部４が、洗濯機Ｒの使用者が洗濯機Ｒを使用するために立つ方向、すなわち「前方」になるように配置する（前述のように、本実施例では、図１、図５及び図１３の矢印Ｆで示す方向が前方である）。
【００２３】
まず屋内の洗濯機用防水パン１設置予定の床面、すなわち設置面Ｇにトラップ本体１０を配置するための開口を設ける。次に、この開口を通してトラップ本体１０の排出口１０ａを下水側配管に接続する。更に、フランジ部材１３の筒体部分を開口部に挿通し、段押し部の上面にフランジ部材１３のフランジ部１３ｂを収納した上で、フランジ部材１３の雄ネジを、トラップ本体１０の雌ネジに螺合させる。これにより、フランジ部材１３のフランジ部１３ｂ下面と、トラップ本体１０の凸部１０ｂ上面とで、洗濯機用防水パン１の開口部の周縁、即ち段押し部の底壁５を挟持するようにして、トラップ本体１０とフランジ部材１３が、洗濯機用防水パン１に固定される。
更に設置面Ｇ上に洗濯機用防水パン１を、ビスなどを使用して固定する。
【００２４】
次に、フランジ部材１３内部につり下げるようにして、封水椀１１をトラップ本体１０内部に配置すると共に、洗濯機用接続管１２を内部に収納した防臭筒１４の、上端のすり鉢状部分の外周部分を、フランジ部材１３内面に対して水密的に接続する。
これにより、洗濯機用接続管１２は、Ｔ字を上下逆転した状態にて、また、水平な管体部分の端部は、両端とも防臭筒１４の筒体部分の外側側面よりも若干外側に突出するようにして、排水トラップＴ内部に取り付けることができる。
この状態で、フランジ部材１３の内部の開口が、排水口１３ａとして機能する。更に排水口１３ａに目皿部材１５をセットし、エルボ管１６等を利用し洗濯機用接続管１２に洗濯機用排水ホースを接続した上で、足置き台２上の載置面３に洗濯機Ｒの脚部を載置する。最後に、前方の足置き台２間の、上方及び側面全体を覆うようにして、カバー部材９を前方の外側側面に取り付け、突条部８にカバー本体を係止させると共に、目隠し部９ｃの両端を載置面３上に載置させて、洗濯機用防水パン１と排水トラップＴ、及び洗濯機Ｒの施工が完了する。尚、上記のように構成したため、開口部には排水装置としての排水トラップＴが取り付けられてなる。すなわち、開口部が排水部６として機能すると共に、排水部６にもっとも近い前方の壁部４の内側側面上端から排水部６の排水口１３ａに向かって、排水部６まで連続するガイド傾斜面７を設けた構成となる。
【００２５】
上記のように構成された洗濯機用防水パン１と排水トラップＴは、以下のようにして使用される。
洗濯機Ｒを使用し、洗濯機Ｒより排水が生じると、洗濯機Ｒからの排水は、洗濯機用排水ホースから、洗濯機用接続管１２を介し、封水椀１１内部に流入して溜まり、充分に溜まると封水椀１１の側面に設けられた開口から溢れ出す。封水椀１１から流出した排水は、トラップ本体１０内部から排出口１０ａを介して下水側に排出される。この際、洗濯機用接続管１２の水平な管体部分の端部は、両端とも防臭筒１４の筒体部分の外側側面よりも若干外側に突出するように構成されてなるため、洗濯機Ｒからの泡混じりの排水は、まず防臭筒１４の筒体部分の外部にのみ排出され、防臭筒１４の内部には排出されない。そして排水中の泡はその浮力により排水に対して浮き上がるから、防臭筒１４の筒体部分の外部に排出された排水中の泡はそのまま防臭筒１４外側側面と封水椀１１内側側面の間を通過し、封水椀１１側面の開口から下流側に排出され、防臭筒１４内面から排水口１３ａに逆流することは無い。
また、洗濯機Ｒ自体や洗濯機用排水ホースの破損等により、洗濯機用防水パン１の底壁５上に排水が生じると、排水は、少なくとも洗濯機用防水パン１の底壁５上を通過した上で、排水口１３ａの目皿部材１５を通過し、防臭筒１４内部、封水椀１１内部、封水椀１１の上方の開口、トラップ本体１０内部、排出口１０ａ、の順に通過し、最終的に下水側に排出される。
また、上記のように構成した排水トラップＴにおいて、洗濯機用接続管１２又は排水口１３ａを介し、排水トラップＴ内に排水が行われると、封水椀１１内部に、側面の開口の下端の高さまで排水が溜まる。これにより、排水口１３ａ又は洗濯機用接続管１２から封水椀１１の側面の開口部下端までの流路に、排水で満たされた部分が形成される。この溜まった排水を封水と呼び、下水側から臭気や害虫類が屋内側に侵入しようとしても、この封水によってそれ以上屋内側に侵入されることを防止ることができる。このように、下水側から臭気や害虫類が屋内側に侵入することを防止する機能をトラップ機能と呼ぶ。
【００２６】
上記のように構成した第一実施例の洗濯機用防水パン１と排水トラップＴにおいて、長期間の使用により、排水トラップＴ内部に汚れが付着して異臭を生じたり、堆積した毛髪や糸くず等の塵芥、汚れ成分などで管詰まりが生じ、排水トラップＴの内部を清掃する必要が生じた場合、以下の方法にて排水トラップＴの部材を取り出し、清掃することができる。
まずカバー部材９を洗濯機用防水パン１から取り外す。この作業は突条部８に係止されているカバー部材９を上方に少し持ち上げ、突条部８との係止を解除するだけで簡単に行える。
次に、目皿部材１５の切り欠きを拡径して、洗濯機用接続管１２又は洗濯機用排水ホースから目皿部材１５を取り外し、足置き台２の間から壁部４の外側に取り出す。
次に、洗濯機用接続管１２と洗濯機用排水ホースとの接続を解除した上で、防臭筒１４とフランジ部材１３との接続を解除する。
その後、防臭筒１４、洗濯機用接続管１２、封水椀１１をそれぞれ壁部４の外側に取り出す。
取り出した各部材を清掃した後は、段落００２４の記載事項の手順を繰り返すことで、再度排水トラップＴを組み上げることができる。
これらの部材を取り出す作業においては、各部材を、側壁の内面上端から排水口１３ａまで連続するガイド傾斜面７に沿って取り出すことで、部材の取り出し時、部材を側壁に当てて、部材を破損させたり、部材に付着した塵芥や水滴を洗濯機用防水パン１の内部に付着・落下させるということが無く、視認し難い場所の作業であっても容易に取り出し作業を行うことができる。またガイド傾斜面７によって、前方の側壁の影となる死角自体が減少乃至無くなることでも作業性が向上する。
【００２７】
更に、洗濯機Ｒの長期間の使用によって、洗濯機用防水パン１の内部に、屋内の埃や毛髪、洗濯物や洗濯機用排水ホースと洗濯機用接続管１２との継ぎ目部分から滴下した水分（排水の水滴）、昆虫類等によって、洗濯機用防水パン１の内部が汚されている場合に、洗濯機用防水パン１の内部を清掃する必要が生じる。洗濯機用防水パン１は樹脂成型品であることから、清掃は濡らした雑巾等で表面をふき取り、汚れ成分を取り除く方法が用いられる。この場合に、本実施例では、以下のような理由により、従来の洗濯機用防水パン１の死角部分（視認性の悪い部分）に対し、視認性が向上し、清掃がより容易になる。
理由１．手を差し込む前方の壁部４の後側側面（内側側面）に、排水口１３ａまで連続するガイド傾斜面７を設けたことで、前方から作業を行う際に、前方の壁部４の、後側側面に死角が無くなり、視認性が向上して清掃が容易になる。
理由２．足置き台２の内側側面の形状を、平面視洗濯機用防水パン１の中央に向かって広がる形状としたことで、従来の足置き台２を平面視略正方形形状とした場合に比べ、前方の壁部４上の、足置き台２の隙間からは、足置き台２の後側の側面が比較的視認しやすい。
【００２８】
また、本実施例では、以下のような理由により、従来の洗濯機用防水パン１では清掃時に手が届きにくく、清掃が困難であった箇所（面）に対し、手が届きやすくなり、清掃性が向上する。
理由３．壁部４の内側側面を、設置面Ｇに対して４５度以下の角度（ガイド傾斜面７は約１８度、それ以外の内側側面は約４５度）を設けて底壁５と交差させたため、壁部４の内側側面と底壁５上面の交差部分の角が広く開いたようになり、清掃のために手や清掃治具（雑巾等）を入れ易くなった。また、壁部４の内側側面の傾斜が内向きに勾配していることで、手を差し込む前方の壁部４から見て、左右及び奥側の壁部４の内側側面下端が、若干ながら手を差し込む前方の壁部４に（中央から回り込ませる場合）近くなり、その点でも清掃性が向上した。上述のように、距離的には二十ミリメートル前後の若干の差ではあるが、本発明のように、視認しにくく、また洗濯機用防水パン１の内側空間という狭隘で手を差し込みにくい部分に対して作業を行う場合には、清掃作業を容易にする上で充分に作業性が向上する。
また、足置き台２の内側側面も、設置面Ｇに対して約７５度から８０度と、壁部４内側側面程ではないものの、勾配を設けているため、壁部４の内側側面同様、側面と底壁５上面の交差部分の角が広く開いたようになり、清掃のために手や清掃治具（雑巾等）を入れ易くなった。
理由４．足置き台２の内側側面を、平面視洗濯機用防水パン１の中心に向かって広がるように構成したため、足置き台２の間の隙間から手を差し入れたとしても、全ての足置き台２の内側側面に対して手が届きやすくなった。以下に簡略的な平面視を示す参考図、図１３を参酌しつつ具体的に説明する。図１３では、図の下方が洗濯機用防水パン１の前方であり、中央の一点鎖線の向かって左側が本発明、右側が従来例である。
まず、前方側の足置き台２について説明する。
距離について説明すると、従来の、平面視の載置面３の形状が正方形の足置き台２よりも、本実施例の形状の方が、足置き台２の周囲を回り込む距離が左右両奥共に短くなり、距離的に清掃が容易になる（図１３のＬ１が本発明の清掃に必要な距離、Ｌ２が従来例の清掃に必要な距離である）。
角度について説明する。尚、以下の説明の中では、説明を容易にするため、作業者の手首の関節の動作については特に考慮しない。実際の作業において、手首の関節を利用することを考慮しても、以下に説明するひじ関節のみの使用を考慮した時と同じ理由により、本実施例の洗濯機用防水パン１が、従来例の洗濯機用防水パン１よりも、全ての足置き台２の側面に対して手が届きやすく、清掃性が高い。
洗濯機用防水パン１の前方の壁部４上の隙間から手を差し込む場合、作業者のひじ関節を、足置きの清掃面の延長面の位置まで押し込まないと、角度的に左右それぞれの端部、つまり左右の壁面の内側側面まで作業者の手は届かない。
このため、従来の平面視の載置面３の形状が正方形の足置き台２の場合、手前側の足置き台２背面を清掃するためには、作業者のひじ関節を、足置き台２の左右それぞれの端部が左右の壁面と交差する面（図１３の点線Ｌ４）よりも奥に押し込む必要がある。
これに対して、本実施例の洗濯機用防水パン１の場合、足置き台２の内側側面を、平面視洗濯機用防水パン１の中心に向かって広がるように構成したため、前方の足置き台２の後側側面の延長面（図１３の点線Ｌ３）は、従来例に比べて前方側に近づく。このため、作業者のひじ関節の押し込み位置も、従来例に比べて前方側で済み、その分清掃が容易になる。
次に、後側の二つの足置き台２について説明する。
距離について説明する。前方の足置き台２の隙間から手を差し込んで清掃する場合の手の動きを仮定するものとして、図１３のＬ５のように、前方の壁部４上であって、足置き台２の隙間中央を中心とし、左右の壁部４の奥側の端部を通過する円弧を基準として考えると、左右の壁部４の後側端部まで手が届くのであれば、後ろ側の足置き台２の前側側面は支障なく全ての表面に手が届く。
後ろ側の足置き台２の内側の横側側面については、手の届かない面積が、本実施の方が従来例よりも若干多く、不利であると言える。ただし、手を差し込む前方の隙間の正面に当たることで、棒状の治具を使うことで容易に作業を行うことができるため、上記のような手が届き難い、という点はほとんど問題にならない（前方の足置き台２の後側側面の清掃において、棒状治具を使うことを考慮しなかったのは、当該部分の清掃に棒状治具を利用するためには、棒状治具を洗濯機用防水パン１内部の狭隘な部分で９０度回転させる等取り回しが極めて困難であるからである。足置き台２の内側の横側側面については、棒状治具を９０度回転させる必要が無いため、このような問題は生じない）。
角度については、本実施例の足置き台２の内側側面の方が、従来例の足置き台２の内側側面に比べ、前方の壁部４の隙間中央を中心とした円弧に近い形状となり、作業者の腕の動かし方が容易になることで清掃が容易になる。また、視認性についても内側の前方側面、内側の横側側面共に、従来例に比べ前方の壁部４を向くような位置関係になるため、視認性が向上し、作業性は向上する。
理由５．洗濯機用防水パン１の足置き台２の間を覆うカバー部材９について、本実施例では、カバー部材９の目隠し部９ｃを載置部の上方に載置することで取り付けを行っている。このため、従来例のように、目隠し部９ｃの取り付けのため、足置き台２やその載置部に凹部を設ける必要が無く、凹部に溜まった塵芥の清掃が困難であった従来例に比べ、清掃性が向上している。
【００２９】
更に本実施例では、洗濯機用防水パン１の外側側面を設置面Ｇに対し略垂直面（設置面Ｇに対し８８度乃至９０度程度の面）としたことで、洗濯機用防水パン１の外側側面と屋内の壁面や固定された家具との隙間を限りなく狭くしている。洗濯機用防水パン１の外側側面と屋内の壁面や固定された家具との隙間を清掃することは、洗濯機Ｒを洗濯機用防水パン１上に載置したままではほぼ不可能であるため、本発明のように、隙間を狭くして、洗濯機用防水パン１の外側側面と屋内の壁面や家具との密着度を高め、その隙間に塵芥等が侵入し難いようにする方が汚れにくく、衛生的に好適であるといえる。
洗濯機用防水パン１の外側側面を設置面Ｇに対し略垂直にする方法について、以下に何通りか説明する。
一般に、インジェクション成形と呼ばれる内外両面に金型を当ててその間に溶融した樹脂材料を注入し、樹脂成型品を製造する場合、内側の金型を取り出すために、抜け勾配と呼ばれる、内側の金型の抜き方向に向かって広がる傾斜を樹脂成型品に設ける必要がある。
本実施例の洗濯機用防水パン１の場合、洗濯機用防水パン１自体はインジェクション成形により一体成型で構成される。この洗濯機用防水パン１の、外側側面を構成する壁面部分について、壁面部分の内側の金型は、洗濯機用防水パン１の下方から取り出す構造となり、外側側面を構成する壁部４分は、上方から下方に向かって外側に広がるようにして抜け勾配を設ける必要がある。
これに対して、本実施例では、抜け勾配をなるべく垂直に近づけるように構成すると共に、洗濯機用防水パン１の、足置き台２及び壁部４の内側側面に、上方から下方程広がる傾斜を備えることで、洗濯機用防水パン１の外側側面の傾斜を略垂直（設置面Ｇに対して８８度乃至９０度程度、本実施例では８９．５度程度）となるように構成している。
詳細に説明すると、本実施例の場合、設置面Ｇに対して、壁部４の内側側面は１８度乃至４５度程度、足置き台２については７５度乃至８０度程度の、上方から下方程広がる傾斜を備えてなる。このため、内側の金型を抜く際、洗濯機用防水パン１の外側側面を成す壁面部分が設置面Ｇに対し垂直に近い角度であっても、各内側側面が内側方向に大きく設けた傾斜によって、金型を抜くための勾配をある程度確保できる。また、洗濯機用防水パン１は比較的大きな樹脂成型品であり、その分、撓みの幅も大きくなるため、これを考慮して抜け勾配の角度を垂直に近づけることもできる。
【００３０】
本発明の実施例は以上のようであるが、本発明は上記実施例に限定される物ではなく、主旨を変更しない範囲において自由に変更が可能である。
例えば、上記第一実施例では、図面の見やすさの為もあり、洗濯機用防水パン１の下方側は空洞としているが、実際には洗濯機用防水パン１の下方側の面には、例えば図１４の実施例のように、強度を確保するための補強リブ１７が設けられる場合が多い。このように補強リブ１７を設ける場合、段落００２９で説明した、足置き台２及び壁部４の内側側面の傾斜を利用して、外側側面の壁面部分を略垂直に成形するためには、この強度確保の補強リブ１７についても抜け勾配を考慮する必要があるが、この補強リブ１７の形状については、単に強度を確保できればそれで良く、洗濯機用防水パン１の上方側ほど形状の制限が無いため、例えば補強リブ１７自体に上方と下方とで厚みを変えて抜け勾配を設けるなどして対応が可能である。
また、段落００２９に記載した以外に、外側側面を略垂直とする方法として、図１５  のように、上方の壁部４分ほど肉厚にすることで、壁面部分の内側に勾配を設けても外側は設置面Ｇに対し略垂直にすることができる。
【００３１】
また、上記第一実施例においては、洗濯機用防水パン１のカバー部材９は、洗濯機用防水パン１の前面を覆うカバー本体と、上方を覆う目隠し部９ｃとを一体に成形して構成しているが、本発明は上記実施例に限定されるものではなく、別々に成形して一体のものとして組み合わせたり、またはそのまま別の部材として使用してもかまわない。このように構成することで、部材の成形が容易になる、というメリットがある。
また、上記実施例では、目隠し部９ｃを足置き台２の上面である設置面Ｇ上に載置するように構成してなるが、本発明は上記構成に限定されるものではなく、図１６に示したように、目隠し部９ｃの側面に脚を設けて目隠し部脚部９ｄとし、足置き台２の側面の傾斜を利用し、目隠し部脚部９ｄの側面を足置き台２の側面上に載置したり、図１７に示したように目隠し部脚部９ｄの下端を洗濯機用防水パン１の底壁５上に載置する構成としても良い。このように構成しても、目隠し部９ｃの取り付け（位置決め）のため、足置き台２乃至載置部に凹凸を設ける必要が無く、凹凸に溜まった塵芥の清掃が困難であった従来例に比べ、清掃性を向上させることができる。
また、足置き台２の間の壁部４の全高を低くし、手を差し込める構造とすることについても、必要に応じ、四方の内の一方向のみ低くする等自在に変更してもかまわない。
また、上記実施例では、足置き台２は平面視四角形にて構成し、足置き台２の内側側面を洗濯機用防水パン１の中心に向かって広がる形状として構成してなるが、本発明は上記実施例に限定されるものではなく、図１８に示したように、足置き台２の形状を平面視略三角形として、足置き台２の内側側面を中心に向かって広がる形状としても良い。ただし、足置き台２の形状を平面視略三角形にすると、洗濯機Ｒの脚を載せることの可能な面積が狭くなり、足置き台２上に洗濯機Ｒの脚を載せることができない洗濯機Ｒが多くなるため、例えば特定の洗濯機Ｒに合わせて設計する等、必要に応じた対応を行うこととなる。汎用性を求める場合は、第一実施例のように、足置き台２（載置面３）を平面視四角形としたほうが好適である。
【符号の説明】
【００３２】
１      洗濯機用防水パン
１ｓ    洗濯機用防水パンの外側側面
２      足置き台
２ｓ    足置き台の内側側面
３      載置面
４      壁部
４ｓ    壁部の内側側面
５      底壁
６      排水部
７      ガイド傾斜面
８      突条部
９      カバー部材
９ａ    カバー本体部
９ｂ    係止部
９ｃ    目隠し部
９ｄ    目隠し部脚部
１０    トラップ本体
１０ａ  排出口
１０ｂ  凸部
１１    封水椀
１２    洗濯機用接続管
１３    フランジ部材
１３ａ  排水口
１３ｂ  フランジ部
１４    防臭筒
１５    目皿部材
１６    エルボ管
１７    補強リブ
Ｒ      洗濯機
Ｔ      排水トラップ
Ｇ      設置面
【図１】
2014234628.tif 000003
【図２】
2014234628.tif 000004
【図３】
2014234628.tif 000005
【図４】
2014234628.tif 000006
【図５】
2014234628.tif 000007
【図６】
2014234628.tif 000008
【図７】
2014234628.tif 000009
【図８】
2014234628.tif 000010
【図９】
2014234628.tif 000011
【図１０】
2014234628.tif 000012
【図１１】
2014234628.tif 000013
【図１２】
2014234628.tif 000014
【図１３】
2014234628.tif 000015
【図１４】
2014234628.tif 000016
【図１５】
2014234628.tif 000017
【図１６】
2014234628.tif 000018
【図１７】
2014234628.tif 000019
【図１８】
2014234628.tif 000020